(57)【要約】【課題】外部接続端子板と基板の接点面との接続がバネ性のない剛体同士の接触のため、接触面の高精度な平面度や、板金製の外部接続端子板の端面の確実なバリ処理が要求される。【解決手段】外部接続端子板１０３に接点バネ１１１を形成し、接点バネ１１１は固定用穴１１０の周囲でかつ固定領域内に形成され、基板１０６の接点面と接点バネ１１１が接触した状態で、基板１０６と外部接続端子板１０３が上カバーボスと下ケースボスの間に挟まれてネジ止めされるようにした。【選択図】図１
2006019040.tif 000002
【特許請求の範囲】
【請求項１】
上カバーと下ケースから成る筐体の外部接続端子板の固定構造において、
前記外部接続端子板に外部接触面、固定用穴及び接点バネを形成し、前記接点バネは前記固定用穴の周囲でかつ固定領域内に形成され、基板の接点面と前記接点バネが接触した状態で、前記基板と外部接続端子板が上カバーボスと下ケースボスの間に挟まれてネジ止めされることを特徴とする外部接続端子板の固定構造。
【請求項２】
前記接点バネを複数個形成したことを特徴とする請求項１記載の外部接続端子板固定構造。
【請求項３】
前記接点バネが、前記外部接続端子板の一部を前記基板の接点面に対応する形状に切り起こして折り曲げることにより形成されたことを特徴とする請求項１又は２記載の外部接続端子板固定構造。
【請求項４】
上カバーと下ケースから成る筐体の外部接続端子板の固定構造において、
前記外部接続端子板に外部接触面、固定用穴及び接点バネを形成し、前記接点バネは固定領域外の近傍位置に形成されて基板の接点面と接触し、前記外部接続端子板は上カバーボスと下ケースボスの間に挟まれてネジ止めされることを特徴とする外部接続端子板の固定構造。
【請求項５】
前記接点バネが、前記固定用穴から離れた前記外部接続端子板の一部を前記基板の接点面に対応する形状に切断して折り曲げることにより形成されたことを特徴とする請求項４記載の外部接続端子板の固定構造。
【発明の詳細な説明】
【技術分野】
【０００１】
本発明は情報通信機器等の小型携帯製品に設けられる外部接続端子板の固定構造に関するものである。
【背景技術】
【０００２】
図７は従来例の外部接続端子板の固定構造を示す一部省略の断面図である。
小型携帯製品例えば携帯電話等は、上カバー１と下ケース２とから成る筐体の内部に、充電等を目的とする外部接続端子板３と電子回路を形成した基板６が固定されている。
外部接続端子板３には外部接触面４が形成されており、下ケース２の側面方向に設けられた外部接触用窓５から外部接触面４が露出するように下ケースボス９に載せられる。
外部接続端子板３の上には、外部接続端子板３と電気的に接続可能な図示してない接点面を設けた基板６が実装され、基板６と外部接続端子板３は上カバー１の上カバーボス８と下ケースボス９とで挟持され、ネジ７によって共締めされて、外部接続端子板３は筐体に確実に固定される。
【０００３】
図８は従来の外部接続端子板を示す図で、（ａ）は平面図、（ｂ）は側面図、（ｃ）は正面図である。
外部接続端子板３は導電材を板金加工したもので、外部接触面４と固定用穴１０が形成されている。
外部接触面４は図示してない充電器等の外部接続機器の接点部が接触して電気的な接続を得るものである。
【発明の開示】
【発明が解決しようとする課題】
【０００４】
しかしながら、外部接続端子板と基板の接点面との接続は、互いにバネ性のない剛体同士の接触であり、接触面の高精度な平面度や、板金製の外部接続端子板の端面の確実なバリ処理等が要求される。これらの加工が不十分であると、接続の信頼性が劣化するため、加工コストの上昇要因にもなっている。
【課題を解決するための手段】
【０００５】
上記した課題を解決するため、本発明に係る第１の手段は、外部接続端子板に接点バネを形成し、接点バネは固定用穴の周囲でかつ固定領域内に形成され、基板の接点面と接点バネが接触した状態で、基板と外部接続端子板が上カバーボスと下ケースボスの間に挟まれてネジ止めされるようにしたものである。
本発明に係る第２の手段は、外部接続端子板に接点バネを形成し、接点バネは固定領域外の近傍位置に形成されて基板の接点面と接触し、外部接続端子板は上カバーボスと下ケースボスの間に挟まれてネジ止めされるようにしたものである。
【発明の効果】
【０００６】
本発明によれば、外部接続端子板に接点バネを形成したので、そのバネ性により接点バネと基板の接点面との接続状態を常に安定して保持することが可能となり、外部接続端子板に高精度な平面度やバリ処理を求めなくても良く、加工コストの低減をはかることができる。
【発明を実施するための最良の形態】
【０００７】
本発明は、上カバーと下ケースから成る筐体の外部接続端子板の固定構造において、外部接続端子板に、外部接触面、固定用穴及び接点バネを形成し、接点バネは固定用穴の周囲でかつ固定用穴に挿通されるネジで固定される固定領域内に形成され、基板の接点面と接点バネが接触した状態で、基板と外部接続端子板を上カバーボスと下ケースボスの間に挟んでネジ止めすることにより実現することができる。
【実施例１】
【０００８】
図１は本発明の実施例１を示す図で、（ａ）は上カバーを外した状態の一部省略した平断面図、（ｂ）は上カバーを含めた一部省略の側断面図である。図２は上カバーを含めた図１（ａ）のＡ−Ａ断面図である。
小型携帯製品の筐体は上カバー１０１と下ケース１０２で構成される。筐体の内部には、充電等のための外部接続端子板１０３と電子回路を形成した基板１０６が固定されている。従来と異なる点は外部接続端子板１０３に接点バネ１１１を設けたことであり、その他は同じである。
【０００９】
外部接続端子板１０３には、外部接触面１０４と、固定用穴１１０と、接点バネ１１１が形成されており、下ケース１０２の側面方向に設けられた外部接触用窓１０５から外部接触面１０４が露出するように下ケースボス１０９に実装される。
外部接続端子板１０３の上には、外部接続端子板１０３の接点バネ１１１と電気的に接続可能な図示してない接点面を設けた基板１０６が実装され、接点面と接点バネ１１１が接触した状態で、基板１０６と外部接続端子１０３は上カバー１０１の上カバーボス１０８と下ケース１０２の下ケースボス１０９の間に挟まれて、上カバーボス１０８と共にネジ１０７により共締めされ、外部接続端子板１０３は筐体に確実に固定される。
【００１０】
図３は実施例１における外部接続端子板１０３を示す図で、（ａ）は平面図、（ｂ）は側面図、（ｃ）は正面図である。
外部接続端子板１０３は導電材を板金加工したもので、外部接触面１０４、固定用穴１１０及び接点バネ１１１が形成されている。
外部接触面１０４は図示してない充電器等の外部接続機器の接点部が接触して電気的な接続を得るものである。
固定用穴１１０は、図２に示すように外部接続端子板１０３と基板１０６を上カバーボス１０８と下ケースボス１０９とで挟持し、ネジ１０７により共締めして固定するためのものである。
上カバーボス１０８と下ケースボス１０９とが対向する領域が外部接続端子板１０３の固定領域となる。
【００１１】
接点バネ１１１は、固定用穴１１０の周囲でかつ固定領域内に形成される。接点バネ１１１は、板金製の外部接続端子板１０３の一部を切り起こし、図３（ｂ）のように折り曲げて弾力性を持つように形成したもので、１個の例を図示しているが複数個設けても良い。なお、接点バネ１１１を別体に形成して外部接続端子板１０３に固着させても良い。
接点バネ１１１は弾力性を有しているので、基板１０６の接点面と接触した状態で図２のようにネジ１０７によって共締めされると、接点バネ１１１は曲折部が伸ばされるようにたわみ、基板１０６の接点面と常に安定した接続状態を保持する。そして、外部接続端子板１０３と基板１０６は筐体に確実に固定される。
【００１２】
以上のように実施例１によれば、外部接続端子板に接点バネを形成したので、そのバネ性により基板の接点面と接点バネとの接続状態を常に安定して保持することが可能となり、外部接続端子板に対する高精度な平面度処理やバリ処理の要求がなくなり、加工コストの低減を実現することができる。
【実施例２】
【００１３】
図４は本発明の実施例２を示す図で、（ａ）は上カバーを外した状態の一部省略した平断面図、（ｂ）は上カバーを含めた一部省略の側断面図である。図５は上カバーを含めた図４（ａ）のＢ−Ｂ断面図である。
実施例２は、実施例１の接点バネ１１１の代りに、固定領域外の近傍位置に接点バネ２１１を形成したものである。
筐体は上カバー２０１と下ケース２０２で構成され、その内部には、外部接続端子板２０３と基板２０６が固定されている。
【００１４】
外部接続端子板２０３には、外部接触面２０４と、固定用穴２１０と、接点バネ２１１が形成されており、下ケース２０２の側面方向に設けられた外部接触用窓２０５から外部接触面２０４が露出するように下ケースボス２０９に実装される。
外部接続端子板２０３の上には上カバーボス２０８が実装され、外部接続端子板２０３は上カバーボス２０８と下ケースボス２０９の間に挟まれて、上カバーボス２０８と共にネジ２０７により共締めされ、外部接続端子板２０３は筐体に確実に固定される。
【００１５】
一方、外部接続端子板２０３の接点バネ２１１と電気的に接続される図示してない接点面を有する基板２０６には、外部接続端子板２０３の固定領域を避けるように切欠き部２１３が設けられており、また、下ケース２０２には、基板固定リブ２１２が設けられている。
基板２０６はこの基板固定リブ２１２上に実装され、図示してないネジ止め又は爪構造により固定される。
このように基板２０６は、上カバーボス２０８と下ケースボス２０９の間に挟まれる構造ではなく、切欠き部２１３によって上カバーボス２０８と下ケースボス２０９が対向する固定領域を避けた構造に形成される。
従って、基板２０６の接点面と外部接続端子板２０３の接点バネ２１１は、上カバーボス２０８と下ケースボス２０９の固定領域の外側でかつその近傍位置で図４（ｂ）のようにたわんで接続される。
【００１６】
図６は実施例２における外部接続端子板２０３を示す図で、（ａ）は平面図、（ｂ）は側面図、（ｃ）は正面図である。
外部接続端子板２０３は、実施例１と同様に導電材を板金加工したもので、外部接触面２０４、固定用穴２１０及び接点バネ２１１が形成されている。
外部接触面２０４及び固定用穴２１０は実施例１と同じであるが、接点バネ２１１は図５からも分かるように、上カバーボス２０８と下ケースボス２０９が対向する固定領域の外側でかつその近傍位置に形成される。接点バネ２１１は、固定用穴１１０から離れた板金製の外部接続端子板２０３の一部を基板２０６の接点面に対応する形状に切断し、図６（ｂ）のように折り曲げて弾力性を持つように形成したものである。なお、接点バネ２１１を別体に形成して外部接続端子板２０３に固着させても良い。
【００１７】
上記したように、基板２０６の固定は基板固定リブ２１２により行われ、上カバーボス２０８と下ケースボス２０９には無関係であり、基板２０６の固定高さは外部接続端子板２０３の固定高さに関係なく自由に設定することができ、また外部接続端子板２０３の接点バネ２１１は弾力性を有し、固定領域外に設けられるので、基板２０６は接点バネ２１１の最適なバネ圧を発生するたわみ位置に固定することが可能となる。
従って、基板２０６の接点面と接点バネ２１１との接続状態を常に安定して保持することができる。
更に、基板２０６を上カバーボス２０８と下ケースボス２０９で固定しないので、ネジ２０７の嵌合量さえ保持すれば上カバーボス２０８の長さを少なくとも基板２０６の厚み分は短かくすることが可能で、製品としての簿型化が実現できる。
【００１８】
以上のように実施例２によれば、実施例１の効果に加えて、外部接続端子板を固定するネジの嵌合量さえ確保すれば上カバーボスの長さを短かくすることができ、小型携帯製品の薄型化を実現することができる。
【図面の簡単な説明】
【００１９】
【図１】本発明の実施例１を示す図である。
【図２】実施例１のＡ−Ａ断面図である。
【図３】外部接続端子板を示す図である。
【図４】本発明の実施例２を示す図である。
【図５】実施例２のＢ−Ｂ断面図である。
【図６】外部接続端子板を示す図である。
【図７】従来例の断面図である。
【図８】従来の外部接続端子板を示す図である。
【符号の説明】
【００２０】
１０１，２０１        上カバー
１０２，２０２        下ケース
１０３，２０３        外部接続端子板
１０４，２０４        外部接触面
１０５，２０５        外部接触用窓
１０６，２０６        基板
１０７，２０７        ネジ
１０８，２０８        上カバーボス
１０９，２０９        下ケースボス
１１０，２１０        固定用穴
１１１，２１１        接点バネ
２１２                基板固定リブ
２１３                切欠き部
【図１】
2006019040.tif 000003
【図２】
2006019040.tif 000004
【図３】
2006019040.tif 000005
【図４】
2006019040.tif 000006
【図５】
2006019040.tif 000007
【図６】
2006019040.tif 000008
【図７】
2006019040.tif 000009
【図８】
2006019040.tif 000010